(57)【要約】【課題】バルブ機構の開閉部が凍結するおそれを低減することができる貯湯ユニットの提供。【解決手段】貯湯ユニットは、ケーシングと、配管継手７０と、排水用三方弁６０と、排出配管８０と、を備える。ケーシングには、貯湯タンクが収納されている。配管継手７０には、貯湯タンクの水をケーシング外に排出する排水口７４が形成されている。排水用三方弁６０は、貯湯タンクから配管継手７０に向かって流れる水の流路を開閉する弁体を有する。また、排水用三方弁６０は、配管継手７０とは別部材である。さらに、排水用三方弁６０は、配管継手７０と貯湯タンクとの間に配置されている。排出配管８０は、配管継手７０と排水用三方弁６０の弁体とを接続する。【選択図】図１４
2012137263.tif 000002
【特許請求の範囲】
【請求項１】
貯湯タンク（１１）を収納するケーシング（１３）と、
前記貯湯タンクの水を前記ケーシング外に排出する排出口（７４）が形成された排出部品（７０）と、
前記貯湯タンクから前記排出部品に向かって流れる水の流路を開閉する開閉部（６２）を有し、前記排出部品とは別部材であって、前記排出部品と前記貯湯タンクとの間に配置されているバルブ機構（６０）と、
前記排出部品と前記バルブ機構の前記開閉部とを接続する接続部品（８０）と、
を備える貯湯ユニット（１０）。
【請求項２】
貯湯タンク（１１）を収納するケーシング（１３）と、
前記貯湯タンクの水を前記ケーシング外に排出する排出口（７４）が形成された排出部品（７０）と、
前記貯湯タンクから前記排出部品に向かって流れる水の流路を開閉する開閉部（６２）を有し、前記排出部品と前記貯湯タンクとの間に配置されているバルブ機構（６０）と、
を備え、
前記排出口と前記開閉部とは、５０ｍｍ以上離れて配置されている、
貯湯ユニット（１０）。
【請求項３】
前記排出部品と前記バルブ機構とは、別部材であり、
前記排出部品と前記バルブ機構の前記開閉部とを接続する接続部品（８０）を更に備える、
請求項２に記載の貯湯ユニット。
【請求項４】
前記接続部品は、略Ｓ字状、又は、略Ｕ字状に湾曲した湾曲部（８１）を有する、
請求項１又は３に記載の貯湯ユニット。
【請求項５】
前記接続部品は、内部に水が溜まらないように略水平に配置されている、
請求項４に記載の貯湯ユニット。
【請求項６】
前記開閉部は、前記ケーシング内に収納されている、
請求項１から５のいずれか１項に記載の貯湯ユニット。
【請求項７】
前記貯湯タンクから前記排出部品に向かう水の流れる配管（３４，５３ｃ）を更に備え、
前記排出部品は、前記接続部品の接続される第１接続部（７７）と、前記第１接続部とは別に前記配管の接続される第２接続部（７５，７６）と、を有する、
請求項１から６のいずれか１項に記載の貯湯ユニット。
【発明の詳細な説明】
【技術分野】
【０００１】
本発明は、貯湯ユニットに関する。
【背景技術】
【０００２】
従来より、バルブ機構の有する開閉部が開閉されることで、貯湯タンクの水が排出口から外部に排出される貯湯ユニットがある。
【０００３】
例えば、特許文献１（特開２０１０−２０６１号公報）に開示されている貯湯ユニットでは、排水栓の開閉弁（開閉部に相当）を開栓することで、貯湯タンク内の温水が排水口を経て貯湯ユニット外へと排出されている。
【発明の概要】
【発明が解決しようとする課題】
【０００４】
ところで、バルブ機構の開閉部と排出口との距離が近い場合であって、排出口が貯湯ユニット外部に露出している場合には、排出口が貯湯ユニット外部の冷たい空気と接触することで、開閉部が凍結するおそれがある。
【０００５】
そこで、本発明の課題は、バルブ機構の開閉部が凍結するおそれを低減することができる貯湯ユニットを提供することにある。
【課題を解決するための手段】
【０００６】
本発明の第１観点に係る貯湯ユニットは、ケーシングと、排出部品と、バルブ機構と、接続部品と、を備える。ケーシングには、貯湯タンクが収納されている。排出部品には、貯湯タンクの水をケーシング外に排出する排出口が形成されている。バルブ機構は、貯湯タンクから排出部品に向かって流れる水の流路を開閉する開閉部を有する。また、バルブ機構は、排出部品とは別部材である。さらに、バルブ機構は、排出部品と貯湯タンクとの間に配置されている。接続部品は、排出部品とバルブ機構の開閉部とを接続する。
【０００７】
本発明の第１観点に係る貯湯ユニットでは、排出部品とバルブ機構とが別部材であり、排出部品とバルブ機構の開閉部とが接続部品によって接続されている。このため、排出部品とバルブ機構とが一体である場合と比較して、熱伝導を抑えることができる。したがって、排出口がケーシング外の冷たい空気と接触しても、バルブ機構の開閉部が凍結するおそれを低減することができる。
【０００８】
本発明の第２観点に係る貯湯ユニットは、ケーシングと、排出部品と、バルブ機構と、を備えている。ケーシングには、貯湯タンクが収納されている。排出部品には、貯湯タンクの水をケーシング外に排出する排出口が形成されている。バルブ機構は、貯湯タンクから排出部品に向かって流れる水の流路を開閉する開閉部を有する。また、バルブ機構は、排出部品と貯湯タンクとの間に配置されている。さらに、排出口と開閉部とは、５０ｍｍ以上離れて配置されている。
【０００９】
本発明の第２観点に係る貯湯ユニットでは、排出口と開閉部とは、５０ｍｍ以上離れて配置されている。このため、例えば、排出口と開閉部との距離が５０ｍｍ未満である場合と比較して、排出口がケーシング外の冷たい空気と接触したとしても、バルブ機構の開閉部が凍結するおそれを低減することができる。
【００１０】
本発明の第３観点に係る貯湯ユニットは、第２観点の貯湯ユニットにおいて、排出部品とバルブ機構とは、別部材である。また、排出部品とバルブ機構の開閉部とを接続する接続部品を更に備える。
【００１１】
本発明の第３観点に係る貯湯ユニットでは、排出部品とバルブ機構とが別部材であるため、排出部品とバルブ機構とが一体である場合と比較して、熱伝導を抑えることができる。したがって、排出口がケーシング外の冷たい空気と接触したとしても、バルブ機構の開閉部が凍結するおそれを低減することができる。
【００１２】
本発明の第４観点に係る貯湯ユニットは、第１観点から第３観点の貯湯ユニットにおいて、接続部品は、略Ｓ字状、又は、略Ｕ字状に湾曲した湾曲部を有する。この貯湯ユニットでは、接続部品が湾曲部を有しているため、ケーシング外から排出口を介して異物（例えば、砂や虫等）が排出部品内に混入しても、異物をバルブ機構の開閉部まで到達させ難くすることができる。
【００１３】
これによって、開閉部が破損するおそれを低減することができる。
【００１４】
本発明の第５観点に係る貯湯ユニットは、第４観点の貯湯ユニットにおいて、接続部品は、内部に水が溜まらないように略水平に配置されている。このため、貯湯タンクから流れる水が接続部品内に溜まるおそれを低減することができる。
【００１５】
本発明の第６観点に係る貯湯ユニットは、第１観点から第５観点のいずれかの貯湯ユニットにおいて、開閉部は、ケーシング内に収納されている。このため、この貯湯ユニットでは、開閉部が外気によって凍結するおそれを低減することができる。
【００１６】
本発明の第７観点に係る貯湯ユニットは、第１観点から第６観点のいずれかの貯湯ユニットにおいて、貯湯タンクから排出部品に向かう水の流れる配管を更に備える。また、排出部品は、接続部品の接続される第１接続部と、前記配管の接続される第２接続部と、を有する。第２接続部は、第１接続部とは別の接続部である。
【００１７】
本発明の第７観点に係る貯湯ユニットでは、排出部品が、接続部品の接続される第１接続部と、接続部品以外の配管の接続される第２接続部とを有している。この貯湯ユニットでは、異なる経路を経て流れてきた貯湯タンクの水を、１つの排出部品の排出口からケーシング外に排出することができる。
【００１８】
なお、貯湯タンクから排出部品に向かう水の流れる配管には、例えば、金属配管、樹脂配管、ゴムホース、及び、チューブが含まれる。
【発明の効果】
【００１９】
本発明の第１観点に係る貯湯ユニットでは、バルブ機構の開閉部が凍結するおそれを低減することができる。
【００２０】
本発明の第２観点に係る貯湯ユニットでは、バルブ機構の開閉部が凍結するおそれを低減することができる。
【００２１】
本発明の第３観点に係る貯湯ユニットでは、バルブ機構の開閉部が凍結するおそれを低減することができる。
【００２２】
本発明の第４観点に係る貯湯ユニットでは、開閉部が破損するおそれを低減することができる。
【００２３】
本発明の第５観点に係る貯湯ユニットでは、貯湯ユニットから流れる水が接続部品内に溜まるおそれを低減することができる。
【００２４】
本発明の第６観点に係る貯湯ユニットでは、開閉部が外気によって凍結するおそれを低減することができる。
【００２５】
本発明の第７観点に係る貯湯ユニットでは、異なる経路を経て流れてきた貯湯タンクの水を、１つの排出部品の排出口からケーシング外に排出することができる。
【図面の簡単な説明】
【００２６】
【図１】本発明の一実施形態に係る貯湯ユニットの配管系統図。
【図２】本発明の一実施形態に係る貯湯ユニットの外観図であって、（ａ）貯湯ユニットの正面図、（ｂ）貯湯ユニットの側面図。
【図３】排水用三方弁の外観斜視図。
【図４】排水用三方弁の断面図。
【図５】排水用三方弁の操作部の位置と、配管の接続状態とを説明するための図。
【図６】排水用三方弁及び配管継手がケーシングに取り付けられた状態を示す図。
【図７】排水用三方弁及び配管継手がケーシングに取り付けられた状態を示す図。
【図８】排水用三方弁及び配管継手がケーシングに取り付けられた状態を示す図。
【図９】配管継手の外観斜視図。
【図１０】第１ケーシングの側面図。
【図１１】第２ケーシングの側面図。
【図１２】配管継手の側面図。
【図１３】配管継手の縦断面図。
【図１４】排水用三方弁と配管継手とが排出配管によって接続された状態を示す図。
【発明を実施するための形態】
【００２７】
以下、図面を参照しながら、本発明の一実施形態に係る貯湯ユニットを備える貯湯式給湯装置について説明する。なお、以下の実施形態は、本発明の具体例であって、本発明の技術的範囲を限定するものではない。
【００２８】
（１）貯湯式給湯装置の構成
貯湯式給湯装置は、加熱手段（本実施形態では、ヒートポンプユニット１００）により沸き上げられた温度の高い水（以下より、常温の水よりも温度の高い水を湯という）、又は、水を、貯湯ユニット１０の備える貯湯タンク１１に貯湯し、その貯湯した湯及び水（以下、湯水という）を、利用者の操作に応じて、浴槽１８に供給したり、又は、浴槽１８以外の供給部（例えば、シャワーや台所の蛇口等）１６に供給したりするものである。
【００２９】
また、この貯湯式給湯装置は、主に、ヒートポンプユニット１００と、貯湯ユニット１０と、制御装置（図示せず）と、を備えている（図１参照）。以下に、貯湯式給湯装置の備える各種構成部品について説明する。
【００３０】
（２）ヒートポンプユニットの構成
ヒートポンプユニット１００は、湯を作り出すための熱源装置として電力を得て機能する。具体的には、ヒートポンプユニット１００は、冷媒（例えば、二酸化炭素冷媒等）が循環する冷媒回路を備えている。また、冷媒回路では、圧縮機の吐出側、水熱交換器の冷媒側、内部熱交換器内の高圧側、膨張弁、空気熱交換器、内部熱交換器内の低圧側、圧縮機の吸入側、の順に各機器が接続されており、内部に冷媒を循環させている。
【００３１】
内部熱交換器は、高圧側の配管を流れる冷媒と、低圧側の配管を流れる冷媒と、の間で熱交換を行わせる。水熱交換器は、冷媒管を有しており、圧縮機によって吐出され冷媒管に流入した高温の冷媒と、後述する貯湯ユニット１０の貯湯往き管２１から水管２５に流入した湯水と、の間で熱交換を行わせる。この水熱交換器における熱交換によって、冷媒管を通過する冷媒が冷却され、水管２５を通過する湯水が加熱されることで、後述する貯湯ユニット１０の貯湯戻り管２２に流入する湯水の温度を上げることができる。この結果、貯湯ユニット１０の貯湯戻り管２２には、貯湯往き管２１を流れる湯水の温度よりも高い温度の湯水が流れることになる。
【００３２】
また、ヒートポンプユニット１００は、各種センサを備えている。各種センサとしては、冷媒に関する温度や圧力を検知するセンサ等がある。具体的には、各種センサとしては、圧縮機の吸入側を通過する冷媒圧力を検知する吸入圧力センサ、圧縮機の吸入側を通過する冷媒温度を検知する吸入サーミスタ、圧縮機の吐出側を通過する冷媒圧力を検知する吐出圧力センサ、圧縮機の吐出側を通過する冷媒温度を検知する吐出サーミスタ、水熱交換器を通過することで冷却された冷媒の温度を検知する水熱交換後冷媒サーミスタ、外気の温度を検知する外気サーミスタ、及び、空気熱交換器において加熱された後の冷媒の温度を検知する空気熱交換後冷媒サーミスタ等があり、これら各種センサは、制御装置が検知値を把握可能なように設けられている。
【００３３】
（３）貯湯ユニットの構成
貯湯ユニット１０は、市水等の外部から供給される常温の水をヒートポンプユニット１００から得られる熱によって加熱し、蓄えつつ、利用する装置である。また、貯湯ユニット１０は、図１に示すように、貯湯タンク１１、貯湯用循環回路２０、追焚熱交換器１２、追焚熱源回路３０、追焚利用回路４０、給湯配管系５０、排水用三方弁（バルブ機構に相当）６０、及び、配管継手（排出部品に相当）７０等を備えている。
【００３４】
図２は、貯湯ユニット１０の外観図である。貯湯ユニット１０は、図２に示すように、略直方体形状を呈するケーシング１３を備えている。ケーシング１３は、天板１３ａ、フロントパネル１３ｂ、第１側板１３ｃ、第２側板１３ｄ、後板１３ｅ、前板１３ｆ、及び、底板１３ｇから構成されている。また、貯湯タンク１１、貯湯用循環回路２０の一部、追焚熱交換器１２、追焚熱源回路３０、追焚利用回路４０、給湯配管系５０の一部、及び、配管継手７０の一部は、ケーシング１３内に収納されている（図１参照）。
【００３５】
（３−１）貯湯タンク
貯湯タンク１１は、ヒートポンプユニット１００由来の熱によって得られる湯、及び水を、利用者に利用される前から予め蓄えておくためのタンクである。貯湯タンク１１は、例えば、円筒形状に形成されており、内部に湯水を溜めることができる。
【００３６】
また、貯湯タンク１１の上部には、水温サーミスタＴ１が配設されており、貯湯タンク１１の側面には、複数の残湯量サーミスタＴ２〜Ｔ６が、上下に渡って所定の間隔をあけて配設されている。水温サーミスタＴ１及び残湯量サーミスタＴ２〜Ｔ６は、貯湯タンク１１内の湯水の温度を測定するものである。また、水温サーミスタＴ１及び残湯量サーミスタＴ２〜Ｔ６は、それぞれ、貯湯タンク１１の残湯量に対応する高さ位置に配設されている。
【００３７】
（３−２）貯湯用循環回路
貯湯用循環回路２０は、貯湯タンク１１内の湯水に対してヒートポンプユニット１００で得られる熱を伝えるための回路であり、貯湯往き管２１、貯湯戻り管２２、沸き上げポンプＰ１、及び、沸き上げ三方弁２４を有している。
【００３８】
貯湯往き管２１は、貯湯タンク１１の下端部近傍と、ヒートポンプユニット１００内に位置する水熱交換器の水管２５の上流側端部とを接続する配管である。また、貯湯往き管２１は、貯湯タンク１１の下端部近傍と排水用三方弁６０とを接続する第１貯湯往き管２１ａと、排水用三方弁６０とヒートポンプ循環往き口１０ａとを接続する第２貯湯往き管２１ｂと、ヒートポンプ循環往き口１０ａと水熱交換器の水管２５の上流側端部とを接続する第３貯湯往き管２１ｃと、を含む。第２貯湯往き管２１ｂの途中には、沸き上げポンプＰ１が配設されている。沸き上げポンプＰ１は、排水用三方弁６０からの湯水をヒートポンプ循環往き口１０ａ側に送り出すためのポンプである。
【００３９】
貯湯戻り管２２は、水熱交換器の水管２５の下流側端部と貯湯タンク１１の上端部近傍及び下端部近傍とを接続する配管である。また、貯湯戻り管２２は、水熱交換器の水管２５の下流側端部とヒートポンプ循環戻り口１０ｂとを接続する第１貯湯戻り管２２ａと、ヒートポンプ循環戻り口１０ｂと沸き上げ三方弁２４とを接続する第２貯湯戻り管２２ｂと、沸き上げ三方弁２４と貯湯タンク１１の上端部とを接続する第３貯湯戻り管２２ｃと、沸き上げ三方弁２４と貯湯タンク１１の下端部とを接続する第４貯湯戻り管２２ｄと、を含む。
【００４０】
沸き上げ三方弁２４は、電動モータによりその弁体の開度が調整される電動式の弁である。沸き上げ三方弁２４は、制御装置の制御によりその弁体の開度が調整されることで、第１貯湯戻り管２２ａ側から第２貯湯戻り管２２ｂ側に流入する湯を、第３貯湯戻り管２２ｃに流して貯湯タンク１１の上端部から貯湯タンク１１内に流出させたり、第４貯湯戻り管２２ｄに流して貯湯タンク１１の下端部から貯湯タンク１１内に流出させたりする。
【００４１】
貯湯用循環回路２０では、沸き上げポンプＰ１が制御装置の制御により駆動することで、貯湯タンク１１内の湯水のうち下方に存在している温度の低い湯水を、貯湯往き管２１に流出させ、水熱交換器の水管２５を通過させることで温度上昇させつつ、貯湯戻り管２２を介して貯湯タンク１１の上端部近傍、或いは、貯湯タンク１１の下端部近傍に戻している。これにより、貯湯タンク１１内の湯水の温度を、比較的高温にすることができる。
【００４２】
（３−３）排水用三方弁
排水用三方弁６０は、図３及び図４に示すように、弁本体６１と、弁本体６１内に収納される弁体６２（開閉部に相当）と、弁体６２の状態や弁開度を調整するための操作部６３と、を有する。弁本体６１は、第１貯湯往き管２１ａの下流側端部を接続するための接続部６１ｂと、第２貯湯往き管２１ｂの上流側端部を接続するための接続部６１ｃと、後述する排出配管（接続部品に相当）８０の上流側端部を接続するための接続部６１ａと、を含む。操作部６３は、ハンドル６３ａと、ハンドル６３ａに連結されているシャフト６３ｂと、を含む。弁体６２は、シャフト６３ｂに連結されており、操作部６３が利用者等によって手動操作されることで、貯湯タンク１１から配管継手７０に向かって流れる湯水の流路を開閉する。具体的には、弁体６２は、操作部６３が操作されることで、図５に示すように、第１貯湯往き管２１ａと第２貯湯往き管２１ｂとを連通させる第１状態（図５ａ参照）と、第１貯湯往き管２１ａの下流側端部を閉塞する第２状態（図５ｂ参照）と、第１貯湯往き管２１ａと排出配管８０とを連通させる第３状態（図５ｃ参照）と、に切り換わる。弁体６２が第１状態を採る場合には、第１貯湯往き管２１ａ側から流れてきた湯水が排出配管８０側に向かう流路が閉塞され、第１貯湯往き管２１ａ側から流れてきた湯水は、第２貯湯往き管２１ｂ側に流出する。また、弁体６２が第３状態を採る場合には、第１貯湯往き管２１ａ側から流れてきた湯水が第２貯湯往き管２１ｂ側に向かう流路が閉塞され、第１貯湯往き管２１ａ側から流れてきた湯水は、排出配管８０側に流出し、排水口７４に向かう。さらに、弁体６２が第２状態を採る場合には、第１貯湯往き管２１ａ側から流れてきた湯水が排出配管８０側に向かう流路、及び、第１貯湯往き管２１ａ側から流れてきた湯水が第２貯湯往き管２１ｂ側に向かう流路が閉塞され、第１貯湯往き管２１ａ側から流れてきた湯水は、第２貯湯往き管２１ｂ及び排出配管８０に流出しないようになる。なお、排水用三方弁６０は、通常時（沸き上げ運転時を含む）は、弁体６２が第１状態を採るように調整されている。
【００４３】
また、排水用三方弁６０は、弁本体６１及びシャフト６３ｂの一部がケーシング１３の内側に位置し、ハンドル６３ａ及びシャフト６３ｂの他部がケーシング１３の外側に位置するように、取付板１９を介して前板１３ｆに固定されている（図４、図６、図７及び図８参照）。
【００４４】
（３−４）追焚熱交換器
追焚熱交換器１２は、貯湯タンク１１内の湯水が巡回する熱源管１２ａと、ケーシング１３外の浴槽１８にはられた湯又は水が循環する利用管１２ｂと、を有している。追焚熱交換器１２では、熱源管１２ａを流れる湯水と、利用管１２ｂを流れる湯又は水と、の間で熱交換を行わせることで、利用管１２ｂを流れる湯又は水の温度を上げることができる。
【００４５】
（３−５）追焚熱源回路
追焚熱源回路３０は、ケーシング１３外の浴槽１８にはられた湯又は水の温度を、貯湯タンク１１に蓄えられている湯水の有している熱を利用して、さらに上げるための熱源供給側の回路である。追焚熱源回路３０は、主に、熱源往き管３１、熱源戻り管３２、及び、熱源ポンプＰ３を有している。
【００４６】
熱源往き管３１は、貯湯タンク１１の上端部近傍と追焚熱交換器１２内の熱源管１２ａの上流側端部とを接続している。また、熱源往き管３１には、貯湯タンク１１側から流入した湯水の逆流を防止するための逆止弁Ｂ１が配設されている。なお、逆止弁Ｂ１は、熱源往き管３１の貯湯タンク１１と分岐点Ｎ１との間に配設されている。熱源戻り管３２は、追焚熱交換器１２内の熱源管１２ａの下流側端部と貯湯タンク１１の下端部近傍とを接続している。熱源ポンプＰ３は、熱源戻り管３２の途中に配設されている。
【００４７】
追焚熱源回路３０では、熱源ポンプＰ３が制御装置の制御により駆動することで、貯湯タンク１１内の湯水のうち上部に存在している高温の湯水を、熱源往き管３１に流出させ、追焚熱交換器１２内の熱源管１２ａを通過させることで温度低下させつつ、熱源戻り管３２を介して貯湯タンク１１の下端近傍に戻している。
【００４８】
また、追焚熱源回路３０は、沸き上げ運転時に発生する高温の膨張水を排水口７４に導くための第１排水管３４を有している。第１排水管３４は、熱源往き管３１の分岐点Ｎ１に分岐接続されており、後述する配管継手７０の第１接続部７５に接続されている。なお、本実施形態では、第１排水管３４はゴムホースであるが、これに限定されず、第１排水管が、金属配管、樹脂配管、及び、チューブのいずれであってもよい。また、第１排水管３４には、負圧作動式逃がし弁３４ａが配設されている。負圧作動式逃がし弁３４ａは、貯湯タンク１１内の水圧が所定の水圧未満の場合には、その弁体を閉塞して、貯湯タンク１１内の湯水が、第１排水管３４を経て排水口７４から貯湯ユニット１０外に排出されることを禁止する。一方、貯湯タンク１１内の水圧が所定の水圧以上の場合は、その弁体を開成して、貯湯タンク１１内の湯水（膨張水）を、第１排水管３４を経て排水口７４から貯湯ユニット１０外に排出するものである。
【００４９】
（３−６）追焚利用回路
追焚利用回路４０は、貯湯タンク１１に蓄えられている湯水の有している熱を、追焚熱源回路３０を介して得るための回路である。また、追焚利用回路４０は、主に、利用往き管４１、利用戻り管４２、利用ポンプＰ２、外部配管４３，４５、及び、浴槽接続アダプター４４を有している。
【００５０】
利用往き管４１の一方の端部は、ふろ循環戻り口１０ｃを介して、外部配管４３に接続されている。また、利用往き管４１の他端部は、追焚熱交換器１２内の利用管１２ｂの上流側端部に接続されている。また、利用往き管４１には、通過する湯又は水の温度を検知するためのふろサーミスタＴ７が設けられている。さらに、利用ポンプＰ２は、利用往き管４１の途中に設けられている。
【００５１】
利用戻り管４２の一方の端部は、ふろ循環往き口１０ｄを介して、外部配管４５と接続されている。また、利用戻り管４２の他端部は、追焚熱交換器１２内の利用管１２ｂの下流側端部と接続されている。
【００５２】
外部配管４３は、利用往き管４１と浴槽接続アダプター４４とを接続している。外部配管４５は、利用戻り管４２と浴槽接続アダプター４４とを接続している。また、浴槽接続アダプター４４は、浴槽１８内に配置されており、浴槽１８内に湯を流出させたり、浴槽１８内から湯又は水を取り込んだりするものである。なお、外部配管４３，４５及び浴槽接続アダプター４４は、図１に示すように、ケーシング１３外に配置されている。
【００５３】
追焚利用回路４０では、利用ポンプＰ２が制御装置の制御により駆動することで、浴槽１８の湯又は水を、浴槽接続アダプター４４を介して外部配管４３側から利用往き管４１側に流出させ、追焚熱交換器１２内の利用管１２ｂを通過させることで温度上昇させつつ、利用戻り管４２及び外部配管４５を介して浴槽１８に戻している。これにより、浴槽１８の湯又は水の温度を上げることができ、追い炊きを実行することができる。
【００５４】
（３−７）給湯配管系
給湯配管系５０は、外部の市水等から水の供給を受けつつ、貯湯タンク１１に蓄えられている湯水を利用するための経路であって、給水管５１、出湯管５２、供給管５３、給湯混合弁５４、及び、お湯はり混合弁５５を有している。
【００５５】
給水管５１は、外部の市水等から供給される水の流れる配管であって、第１給水管５１ａと、第２給水管５１ｂと、第３給水管５１ｃと、を有する。
【００５６】
第１給水管５１ａは、貯湯ユニット１０外部の水源から供給される水が流れる外部給水管１７と、給湯混合弁５４とを接続している。外部給水管１７と第１給水管５１ａとは、給水接続口１０ｅを介して接続されている。第１給水管５１ａは、外部の水源から供給される常温の水を、分岐点Ｎ２，Ｎ３を介して、給湯混合弁５４に導く。また、第１給水管５１ａには、給水接続口１０ｅと分岐点Ｎ２との間に、逆止弁付きストレーナと、給水接続口１０ｅ側から流入した水の水圧を所定の水圧に減圧する減圧弁Ｒとが配設されている。逆止弁付きストレーナは、給水接続口１０ｅ側から流入した水に含まれるゴミを取るためのストレーナＳと、給水接続口１０ｅ側から流入した水の逆流を防止するための逆止弁Ｂ２とを含む。さらに、第１給水管５１ａには、分岐点Ｎ２近傍に、第１給水管５１ａを流れる水の温度を検出する水温サーミスタＴ８が配設されている。また、第１給水管５１ａには、給湯混合弁５４と分岐点Ｎ３との間に、分岐点Ｎ３側から流れてきた水の逆流を防止するための逆止弁Ｂ３が配設されている。
【００５７】
第２給水管５１ｂは、第１給水管５１ａの分岐点Ｎ３に分岐接続されており、第１給水管５１ａとお湯はり混合弁５５とを接続している。第２給水管５１ｂは、外部の水源から供給される常温の水を、第１給水管５１ａの分岐点Ｎ２，Ｎ３を介して、お湯はり混合弁５５に導く。
【００５８】
第３給水管５１ｃは、第１給水管５１ａの分岐点Ｎ２に分岐接続されており、第１給水管５１ａと貯湯タンク１１の下端部とを接続している。第３給水管５１ｃは、外部の水源から供給される常温の水を、第１給水管５１ａの分岐点Ｎ２を介して、貯湯タンク１１の下端近傍に導く。また、第３給水管５１ｃには、分岐点Ｎ２側から流入した水の逆流を防止するための逆止弁Ｂ４が配設されている。なお、外部給水管１７から第１給水管５１ａに流入する水は、その水圧により、分岐点Ｎ２を介して第３給水管５１ｃを流れて貯湯タンク１１に供給される。この結果、貯湯タンク１１は、常に満水状態に保たれている。
【００５９】
出湯管５２は、貯湯タンク１１内の湯水を浴槽１８以外の供給先である供給部１６に供給するための第１出湯管５２ａと、貯湯タンク１１内の湯水を浴槽１８に供給するための第２出湯管５２ｂと、を有する。
【００６０】
第１出湯管５２ａは、貯湯タンク１１の上端部と、給湯混合弁５４とを接続している。また、第１出湯管５２ａには、貯湯タンク１１に蓄えられている湯水のうち、上端部近傍に存在している比較的温度の高い湯水が流れる。また、第１出湯管５２ａには、貯湯タンク１１側から流入した湯水の逆流を防止するための逆止弁Ｂ５が配設されている。
【００６１】
第２出湯管５２ｂは、熱源往き管３１の分岐点Ｎ４に分岐接続されており、熱源往き管３１とお湯はり混合弁５５とを接続している。第２出湯管５２ｂは、貯湯タンク１１に蓄えられている湯水のうち上端部近傍に存在している比較的温度の高い湯水を、熱源往き管３１の一部を介して、お湯はり混合弁５５に導く。
【００６２】
供給管５３は、給水管５１を流れる常温の水と、貯湯タンク１１の上端部近傍から出湯管５２を通じて流れる高温の湯水と、の混合された湯水の流れる配管である。なお、供給管５３内には、第１給水管５１ａを流れる水の温度（常温）と、貯湯タンク１１の上端近傍に存在する湯水の温度と、の間の温度の湯水が流れる。また、供給管５３は、給湯混合弁５４に接続されている第１供給管５３ａと、お湯はり混合弁５５に接続されている第２供給管５３ｂと、を有している。
【００６３】
第１供給管５３ａの給湯混合弁５４に接続されている側の端部とは反対側の端部は、給湯接続口１０ｆを介して、供給部１６から延びる外部配管９９に接続されている。また、第１供給管５３ａには、内部を流れる湯水の水量を検出する給湯水量センサＦＬＳ１と、第１供給管５３ａを流れる湯水の温度を検出する給湯サーミスタＴ９とが配設されている。
【００６４】
第２供給管５３ｂのお湯はり混合弁５５に接続されている端部とは反対側の端部は、利用戻り管４２の分岐点Ｎ５に接続されている。言い換えると、第２供給管５３ｂは、追焚熱源回路３０の熱源往き管３１と、追焚利用回路４０の利用戻り管４２とをバイパスしている。
【００６５】
また、第２供給管５３ｂには、お湯はり水量センサＦＬＳ２と、お湯はりサーミスタＴ１０とが配設されている。お湯はり水量センサＦＬＳ２は、第２供給管５３ｂを流れる湯水の水量を検出するものである。お湯はりサーミスタＴ１０は、第２供給管５３ｂを流れる湯水の温度を検出するためのものである。さらに、第２供給管５３ｂには、複合水弁に含まれるお湯はり電磁弁ＳＶと、２つの逆止弁Ｂ６，Ｂ７とが配設されている。お湯はり電磁弁ＳＶは、電動モータによりその弁体の開度が調整されることで、利用戻り管４２に流入する湯水の水量を調整するものである。逆止弁Ｂ６，Ｂ７は、お湯はり水量センサＦＬＳ２を挟むように配置されている。逆止弁Ｂ６，Ｂ７は、第２供給管５３ｂを流れる湯水のお湯はり混合弁５５側への逆流、又は、浴槽１８からの湯水の逆流を防止する。
【００６６】
また、第２供給管５３ｂの分岐点Ｎ６には、第２供給管５３ｂを流れる湯水を排水口７４に導くための第２排水管５３ｃが分岐接続されている。なお、本実施形態では、第２排水管５３ｃはゴムホースであるが、これに限定されず、第２排水管が、金属配管、樹脂配管、及び、チューブのいずれであってもよい。また、本実施形態では、分岐点Ｎ６は、逆止弁Ｂ６と、お湯はり水量センサＦＬＳ２との間に位置している。さらに、第２排水管５３ｃは、後述する配管継手７０の第２接続部７６と接続されている。そして、第２排水管５３ｃには、複合水弁に含まれる排水弁５９が配設されている。排水弁５９は、その弁体が開成することで、第２供給管５３ｂに溜まった湯水を、第２排水管５３ｃを通じて排水口７４からケーシング１３外に排出するものである。排水弁５９は、電動式に構成されており、制御装置の制御により、その弁体の開度が調整されるようになっている。なお、本実施形態では、排水弁５９の開度調整が制御装置によって為されているが、これに限定されず、排水弁５９が手動式に構成されており、排水弁５９の開度が手動により調整されてもよい。
【００６７】
給湯混合弁５４は、電動モータによりその弁体の開度が調整される電動式の弁である。給湯混合弁５４は、制御装置の制御により、その弁体の開度が調整されることで、第１出湯管５２ａからの湯水と第１給水管５１ａからの水とを所望の混合比率で混合し、その混合した湯水を、第１供給管５３ａ及び外部配管９９を通じて供給部１６に流出させる。
【００６８】
お湯はり混合弁５５は、電動モータによりその弁体の開度が調整される電動式の弁である。お湯はり混合弁５５は、制御装置の制御により、その弁体の開度が調整されることで、第２出湯管５２ｂからの湯水と第２給水管５１ｂからの水とを所望の混合比で混合し、その混合した湯水を、第２供給管５３ｂ及び利用戻り管４２の一部を通じて浴槽１８に流出させる。
【００６９】
（３−８）配管継手
配管継手７０は、貯湯ユニット１０において生じる全排水を集約し、集約した排水が１つの排水口７４からケーシング１３の外部に排出されるように構成されている。具体的には、配管継手７０は、貯湯タンク１１からの湯水（排水）の流れる排出配管８０、熱源往き管３１からの膨張水（排水）の流れる第１排水管３４、及び、第２供給管５３ｂからの湯水（排水）の流れる第２排水管５３ｃが接続される配管継手である。なお、本実施形態では、配管継手７０は、第１ケーシング７０ａと第２ケーシング７０ｂとがネジ等によって連結されて構成されている（図９、図１０及び図１１参照）。また、本実施形態では、排水用三方弁６０と配管継手７０とは、別部材であり、排水用三方弁６０の弁体６２と配管継手７０の排水口７４とは、５０ｍｍだけ離れて配置されるように設計されている。ここで、本実施形態では、排水用三方弁６０の弁体６２と、配管継手７０の排水口７４とは、５０ｍｍだけ離れて配置されるように設計されているが、これに限定されず、排水用三方弁６０の弁体６２と配管継手７０の排水口７４とが５０ｍｍ以上離れて配置されていればよい。
【００７０】
また、配管継手７０は、図１２及び図１３に示すように、受入部７１と、排出部７２と、中間部７３と、を備えている。配管継手７０は、主に、受入部７１及び中間部７３がケーシング１３内に位置し、排出部７２がケーシング１３外に位置するように、底板１３ｇに固定されている（図６及び図８参照）。この結果、排出部７２に形成されている排水口７４は、ケーシング１３外に露出している。
【００７１】
受入部７１は、第１接続部７５と、第２接続部７６と、第３接続部７７と、を含む。第１接続部７５には、第１排水管３４の端部を接続するための第１接続口７５ａが形成されている。また、第１接続部７５は、第１排水管３４を流れる膨張水（湯水）の通る第１水路７５ｂを有している。第２接続部７６には、第２排水管５３ｃの端部を接続するための第２接続口７６ａが形成されている。また、第２接続部７６は、第２排水管５３ｃを流れる湯水の通る第２水路７６ｂを有している。なお、本実施形態では、第１接続部７５及び第２接続部７６は、図１３に示すように、略鉛直方向に開口している。
【００７２】
第３接続部７７には、排水用三方弁６０に接続されている排出配管８０の端部を接続するための第３接続口７７ａが形成されている。また、第３接続部７７は、排水用三方弁６０を介して排出配管８０側から流入する貯湯タンク１１の湯水が通る第３水路７７ｂを有している。なお、本実施形態では、第３接続部７７の第３接続口７７ａは、図１３に示すように、略水平方向に開口している。
【００７３】
ここで、排水用三方弁６０と配管継手７０とを接続している排出配管８０は、銅製の配管であって、図１４に示すように、略Ｓ字状に湾曲した湾曲部８１を有する。また、排出配管８０は、内部に水が溜まらないように、ケーシング１３の底板１３ｇの上側に略水平に配置されている。なお、本実施形態では、排出配管８０の有する湾曲部８１は、略Ｓ字状に湾曲しているが、これに限定されず、例えば、湾曲部８１が、略Ｕ字状に湾曲していてもよい。また、本実施形態では、排出配管８０が、底板１３ｇの上側に略水平に配置されているが、排出配管８０内に水が溜まらないようにできれば、排出配管８０の配置はこれに限定されず、例えば、排出配管８０が、排水用三方弁６０側から排出配管８０側に向かって水が流れ易いように傾斜して配置されていてもよい。
【００７４】
排出部７２には、第１接続部７５側、第２接続部７６側及び第３接続部７７側から流れてきた湯水を、ケーシング１３外に排出するための排水口７４が形成されている。また、排出部７２は、図１３に示すように、排水口７４を介して貯湯ユニット１０外部に排出される排水（湯水及び膨張水）の通る第４水路７２ｂを有している。なお、本実施形態では、排水口７４は、図１３に示すように、第１接続口７５ａ、第２接続口７６ａ及び第３接続口７７ａとは対向しないように位置している。
【００７５】
中間部７３は、図１２及び図１３に示すように、第１接続部７５及び第２接続部７６と排出部７２との間に介在しており、略水平方向に延びている。また、中間部７３は、排水口７４から排出される排水の流れる第５水路７８を有している。また、第５水路７８は、第１水路７５ｂ、第２水路７６ｂ、第３水路７７ｂ及び第４水路７２ｂと連続しており、第１水路７５ｂ、第２水路７６ｂ、第３水路７７ｂ、第４水路７２ｂ及び第５水路７８は、第１接続口７５ａ、第２接続口７６ａ及び第３接続口７７ａから排水口７４に到る排水路を構成している。なお、以下より、説明の便宜上、第５水路７８において、排水口７４と対向する部分を第５水路７８の第１部分７８ａといい、排水口７４と対向しない部分を第５水路７８の第２部分７８ｂという。
【００７６】
ここで、第５水路７８の第２部分７８ｂの底面は、図１３に示すように、排出部７２側が低くなるように水平面に対して所定角度（例えば、２．５度）だけ傾斜している。なお、所定角度は、１度以上４度以下であることが好ましく、また、２度以上４度以下であることがより好ましい。
【００７７】
配管継手７０がこのような構成であるため、排水用三方弁６０の操作部６３が操作されて弁体６２が第３状態に切り換えられた場合には、貯湯タンク１１から第１貯湯往き管２１ａに流出した湯水は、排出配管８０、第３水路７７ｂ、第５水路７８の主に第１部分７８ａ、及び、第４水路７２ｂを通じて、排水口７４から貯湯ユニット１０外部に排出される。また、沸き上げ運転時に発生した膨張水は、第１排水管３４、第１水路７５ｂを流れ、第５水路７８の第２部分７８ｂから第１部分７８ａに向かって流れ、第４水路７２ｂを通じて、排水口７４から貯湯ユニット１０外部に排出される。さらに、第２供給管５３ｂを流れる湯水は、排水弁５９が制御されて弁体が開成されることで、第２排水管５３ｃ、第２水路７６ｂを流れ、第５水路７８の第２部分７８ｂから第１部分７８ａに向かって流れ、第４水路７２ｂを通じて、排水口７４から貯湯ユニット１０外部に排出される。
【００７８】
（４）制御装置の構成
制御装置は、各サーミスタＴ１〜Ｔ１０や各水量センサＦＬＳ１，ＦＬＳ２等の検出結果に基づき、各弁５４，５５，５９，ＳＶ、ヒートポンプユニット１００及び各ポンプＰ１，Ｐ２，Ｐ３等の各種機器を制御する。また、制御装置は、コントローラ（図示せず）に接続されている。コントローラは、利用者の操作を受け付けるものである。
【００７９】
また、制御装置は、例えば、コントローラが操作されることにより、貯湯タンク１１内の湯水を、ヒートポンプユニット１００の備える水熱交換器により加熱する沸き上げ運転を実行する。沸き上げ運転を実行する場合、制御装置は、ヒートポンプユニット１００の圧縮機、及び、貯湯ユニット１０の沸き上げポンプＰ１を駆動させる。これにより、ヒートポンプユニット１００において冷媒回路を冷媒が循環し、貯湯ユニット１０の貯湯用循環回路２０を貯湯ユニット１０内の湯水が循環することで、貯湯ユニット１０内の湯水の温度を上昇させる沸き上げ（加熱）が行われる。
【００８０】
（５）特徴
（５−１）
本実施形態では、排水用三方弁６０は、貯湯ユニット１０と配管継手７０との間に配置されている。また、排水用三方弁６０と配管継手７０とは、別部材であり、排出配管８０によって接続されている。さらに、排水用三方弁６０の弁体６２と、配管継手７０の排水口７４とは、５０ｍｍ離れて配置されている。このように、排水用三方弁６０と配管継手７０とが排出配管８０によって接続される別部材であって、弁体６２と排水口７４とが５０ｍｍ離れて位置しているため、例えば、排水用三方弁６０と配管継手７０とが一体の部材であり、弁体６２と排水口７４とが５０ｍｍ未満の距離しか離れていない場合と比較して、熱伝導を抑えることができるため、外気の冷たい時期に、ケーシング１３外に露出している排水口７４が外気と接触しても、排水用三方弁６０の弁体６２が凍結するおそれを低減することができている。
【００８１】
（５−２）
本実施形態では、排水用三方弁６０と配管継手７０とを接続している排出配管８０は、銅製の配管であって、略Ｓ字状に湾曲した湾曲部８１を有する。このため、ケーシング１３外から排水口７４を介して異物（例えば、砂や虫等）が配管継手７０内に混入しても、異物を排水用三方弁６０の弁体６２まで到達させ難くすることができている。この結果、排水用三方弁６０が破損するおそれを低減することができる。
【００８２】
（５−３）
本実施形態では、排出配管８０が、ケーシング１３の内部に収納されており、略水平に配置されている。このため、排水用三方弁６０から流れてきた貯湯タンク１１の水が、排出配管８０の内部に溜まるおそれを低減することができている。
【００８３】
（５−４）
本実施形態では、弁体６２は、ケーシング１３内に収納されている。このため、例えば、弁体６２がケーシング１３外に配置されている場合と比較して、外気の冷たい時期に、弁体６２が外気によって凍結するおそれを低減することができている。
【００８４】
（５−５）
一般的に、貯湯ユニットにおいて発生する排水は、１箇所にまとめられて貯湯ユニットから排出される。このため、貯湯タンクからの排水の流れる排水管が複数ある場合には、貯湯ユニットの現地施工時に、複数の排水管を、１箇所にまとめる作業が必要となる。
【００８５】
ここで、本実施形態では、配管継手７０は、貯湯ユニット１０において生じる全排水を集約し、集約した排水が１つの排水口７４からケーシング１３の外部に排出されるように構成されている。このため、この貯湯ユニット１０では、１つの配管継手７０に、第１排水管３４、第２排水管５３ｃ及び排出配管８０を接続することで、貯湯タンク１１からの水を貯湯ユニット１０外部に排出することができる。したがって、この貯湯ユニット１０では、貯湯タンクからの排水の流れる配管の接続作業を容易にすることができる。
【００８６】
（６）変形例
（６−１）変形例Ａ
上記実施形態では、加熱手段として、ヒートポンプユニット１００が採用されており、ヒートポンプユニット１００は、貯湯ユニット１０とは別に設けられている。
【００８７】
これに代えて、貯湯ユニットが加熱手段を備えていてもよい。例えば、貯湯タンクが、熱源機として機能するように構成されていてもよい。なお、貯湯タンクが熱源機として機能する場合には、貯湯タンクにおいて、冷媒等と、水とを熱交換することで、水又は湯水が作り出される。
【００８８】
（６−２）変形例Ｂ
上記実施形態では、配管継手７０が、貯湯ユニット１０において生じる全排水を集約する集約継手であるが、これに限定されず、配管継手が、貯湯ユニットからの排水の流れる１つの排水管のみが接続される配管継手であってもよい。
【産業上の利用可能性】
【００８９】
本発明は、排水用三方弁の弁体が凍結するおそれを低減することができる発明であり、貯湯ユニットへの適用が有効である。
【符号の説明】
【００９０】
１０      貯湯ユニット
１１      貯湯タンク
１３      ケーシング
３４      第１排水管（配管）
５３ｃ    第２排水管（配管）
６０      排水用三方弁（バルブ機構）
６２      弁体（開閉部）
７０      配管継手（排出部品）
７４      排水口（排出口）
７７      第３接続部（第１接続部）
７５      第１接続部（第２接続部）
７６      第２接続部
８０      排出配管（接続部品）
８１      湾曲部
【先行技術文献】
【特許文献】
【００９１】
【特許文献１】特開２０１０−２０６１号公報
【図１】
2012137263.tif 000003
【図２】
2012137263.tif 000004
【図３】
2012137263.tif 000005
【図４】
2012137263.tif 000006
【図５】
2012137263.tif 000007
【図６】
2012137263.tif 000008
【図７】
2012137263.tif 000009
【図８】
2012137263.tif 000010
【図９】
2012137263.tif 000011
【図１０】
2012137263.tif 000012
【図１１】
2012137263.tif 000013
【図１２】
2012137263.tif 000014
【図１３】
2012137263.tif 000015
【図１４】
2012137263.tif 000016